(57)【要約】【課題】　全体構造を簡易化し、並びにその品質及び実用性を高めた導線の連接装置の提供。【解決手段】　第１導線、雄型コネクタ、雄型コネクタ端子セット、第２導線、雌型コネクタ、雌型コネクタ端子セットを具え、第１導線と第２導線が固定ボルトでそれぞれ雄型コネクタと雌型コネクタに固定され、且つ雌型コネクタの凹溝内にシールリングが挿入され、雄型コネクタと雌型コネクタが結合される時、凹溝内のシールリングが雄型コネクタの凸柱に圧接され、密封構造を形成する。【選択図】　　　　図１
2004039637.tif 000002
【特許請求の範囲】
【請求項１】
　導線の連接装置において、該導線の連接装置は、第１導線（１０）、雄型コネクタ（２０）、雄型コネクタ端子セット（３０）、第２導線（４０）、雌型コネクタ（５０）、雌型コネクタ端子セット（６０）を具え、
　該第１導線（１０）は、一対の平行で交叉しない主線（１１、１２）を具え、該主線（１１、１２）が外層固定体（１３）で被覆されて導線が組成され、
　該雄型コネクタ（２０）は、第１ケース（２１）と第１シールリング（２２）で組成され、第１ケース（２１）の後端に階段部（２４）が設けられ、且つ内部が収容空間（２６）とされ、第１ケース（２１）の前端に凸柱（２３）があり、且つ凸柱（２３）に環状溝（２５）が設けられて第１シールリング（２２）が嵌め止めされ、凸柱（２３）内部に二つの凹孔（２７）と通し孔（２７０）があり、二つの凹孔（２７）間にリブ（２８）が形成され、
　該雄型コネクタ端子セット（３０）は、雄型コネクタ端子（３１）と第１固定ボルト（３２）で組成された端子対であり、並びに第１ケース（２１）の二つの凹孔（２７）内に挿入され、雄型コネクタ端子（３１）は第１導線（１０）の外層固定体（１３）に螺合され並びに主線（１１、１２）に連接され、第１導線（１０）が第１ケース（２１）の収容空間（２６）内に固定される時、雄型コネクタ端子（３１）が凹孔（２７）内に固定され、
　該第２導線（４０）は、一対の平行で交叉しない主線（４１、４２）を具え、該主線（４１、４２）が外層固定体（４３）で被覆されて導線が形成され、
　該雌型コネクタ（５０）は、第２ケース（５１）と第２シールリング（５２）で組成され、第２ケース（５１）の後端に階段部（５４）が設けられ、且つ内部が収容空間（５６）とされ、第２ケース（５１）の前端内部に凹溝（５３）が形成され、該凹溝（５３）の軸方向壁面（５７）に一対の通し孔（５７０）があり、且つ凹溝（５３）と軸方向壁面（５７）の連接部分に環状溝（５５）が設けられて第２シールリング（５２）が嵌め止めされ、
　該雌型コネクタ端子セット（６０）は、第２固定ボルト（６１）で組成された端子対であり、第２固定ボルト（６１）が第２ケース（５１）内の通し孔（５７０）を通り第２導線（４０）の外層固定体（４３）に螺合されて主線（４１、４２）と連接されて、第２導線（４０）が第２ケース（５１）の収容空間（５６）内に固定され、
　雄型コネクタ（２０）と雌型コネクタ（５０）が結合される時、第１ケース（２１）の凸柱（２３）が第２ケース（５１）の凹溝（５３）内に挿入され、且つ二つの第２固定ボルト（６１）のナット部（６２）が第１ケース（２１）の二つの凹孔（２７）内に挿入され、並びに雄型コネクタ端子（３１）の弾性片（３５）に挟持され、
　第２シールリング（５２）が第１ケース（２１）の凸柱（２３）の押圧下で、第１の密封構造を形成し、且つ第１シールリング（２２）が第２ケース（５１）の凹溝（５３）の壁面の押圧下で、第２の密封構造を形成することを特徴とする、導線の連接装置。
【請求項２】
　請求項１記載の導線の連接装置において、第２ケース（５１）にスナップリング（５８）が延伸設置され、スナップリング（５８）の後端に固定柱（５８０）があり、且つ第２ケース（５１）の両側面に、固定柱（５８０）の挿入係止に供される二つの固定孔（５１０）が設けられ、第１ケース（２１）のリブ（２８）に固定孔（２８０）が設けられ、雄型コネクタ（２０）と雌型コネクタ（５０）が結合される時、該固定柱（５８０）が第２ケース（５１）の二つの固定孔（５１０）及び第１ケース（２１）の固定孔（２８０）に挿入されることを特徴とする、導線の連接装置。
【請求項３】
　請求項１記載の導線の連接装置において、第１固定ボルト（３２）のネジ部（３４）の前端に案内部（３６）が設けられ、該案内部（３６）の後端に尖鋭部が形成され、第２固定ボルト（６１）のネジ部（６４）前端に案内部（６６）が設けられ、該案内部（６６）の後端に尖鋭部が形成されたことを特徴とする、導線の連接装置。
【請求項４】
　請求項１記載の導線の連接装置において、第２ケース（５１）の凹溝（５３）の内壁の内側部分にテーパ面（５３１）が形成されて二段式内壁面が形成されたことを特徴とする、導線の連接装置。
【請求項５】
　請求項１記載の導線の連接装置において、雄型コネクタ（２０）と第１導線（１０）の間にあって、収容空間（２６）内に一層の防水体（１５）が設けられ、雌型コネクタ（５０）と第２導線（４０）の間にあって、収容空間（５６）内に一層の防水体（４５）が設けられたことを特徴とする、導線の連接装置。
【請求項６】
　請求項５記載の導線の連接装置において、各防水体（１５）（４５）が防水ゴム、ＥＶＡスポンジ等のプラスチック材料、シリコーンゴムで形成されたことを特徴とする、導線の連接装置。
【請求項７】
　導線の連接装置において、該導線の連接装置は、第１導線（１０）、雄型コネクタ（２０）、雄型コネクタ端子セット（３０）、第２導線（４０）、雌型コネクタ（５０）、雌型コネクタ端子セット（６０）を具え、
　該第１導線（１０）は、一対の平行で交叉しない主線（１１、１２）を具え、該主線（１１、１２）が外層固定体（１３）で被覆されて導線が組成され、
　該雄型コネクタ（２０）は、第１ケース（２１）と第１シールリング（２２）で組成され、第１ケース（２１）の上面と底面に凹部（２１１）が設けられ、且つ凹部（２１１）にストッパ部（２１２）が凸設され、第１ケース（２１）の後端に階段部（２４）が設けられ、且つ内部が収容空間（２６）とされ、第１ケース（２１）の前端に凸柱（２３）があり、且つ凸柱（２３）に環状溝（２５）が設けられて第１シールリング（２２）が嵌め止めされ、凸柱（２３）内部に二つの凹孔（２７）と通し孔（２７０）が設けられ、
　該雄型コネクタ端子セット（３０）は、雄型コネクタ端子（３１）と第１固定ボルト（３２）で組成された端子対であり、並びに第１ケース（２１）の二つの凹孔（２７）内に挿入され、雄型コネクタ端子（３１）は第１導線（１０）の外層固定体（１３）に螺合され並びに主線（１１、１２）に連接され、第１導線（１０）が第１ケース（２１）の収容空間（２６）内に固定される時、雄型コネクタ端子（３１）が凹孔（２７）内に固定され、
　該第２導線（４０）は、一対の平行で交叉しない主線（４１、４２）を具え、該主線（４１、４２）が外層固定体（４３）で被覆されて導線が形成され、
　該雌型コネクタ（５０）は、第２ケース（５１）と第２シールリング（５２）で組成され、第２ケース（５１）上面と底面より、第１ケース（２１）の凹部（２１１）と組み合わされる凸耳（５１１）が延伸され、凸耳（５１１）に位置決め孔（５１２）が設けられ、凸耳（５１１）の前端の内側面に傾斜面（５１３）が設けられ、第２ケース（５１）の後端に階段部（５４）が設けられ、且つ内部が収容空間（５６）とされ、第２ケース（５１）の前端内部に凹溝（５３）が形成され、該凹溝（５３）の軸方向壁面（５７）に一対の通し孔（５７０）があり、且つ凹溝（５３）と軸方向壁面（５７）の連接部分に環状溝（５５）が設けられて第２シールリング（５２）が嵌め止めされ、
　該雌型コネクタ端子セット（６０）は、第２固定ボルト（６１）で組成された端子対であり、第２固定ボルト（６１）が第２ケース（５１）内の通し孔（５７０）を通り第２導線（４０）の外層固定体（４３）に螺合されて主線（４１、４２）と連接されて、第２導線（４０）が第２ケース（５１）の収容空間（５６）内に固定され、
　雄型コネクタ（２０）と雌型コネクタ（５０）が結合される時、第１ケース（２１）の凸柱（２３）が第２ケース（５１）の凹溝（５３）内に挿入され、且つ二つの第２固定ボルト（６１）のナット部（６２）が第１ケース（２１）の二つの凹孔（２７）内に挿入され、並びに雄型コネクタ端子（３１）の弾性片（３５）に挟持され、且つ第２シールリング（５２）が第１ケース（２１）の凸柱（２３）の押圧下で、第１の密封構造を形成し、且つ第１シールリング（２２）が第２ケース（５１）の凹溝（５３）の壁面の押圧下で、第２の密封構造を形成し、
　第２ケース（５１）の凸耳（５１１）が、凸耳（５１１）前端の傾斜面（５１３）により、第１ケース（２１）の凹部（２１１）に凸設されたストッパ部（２１２）を滑って通過し、位置決め孔（５１６）とストッパ部（２１２）が速やかに嵌合されて相互に係止されることを特徴とする、導線の連接装置。
【請求項８】
　請求項７記載の導線の連接装置において、第１固定ボルト（３２）のネジ部（３４）の前端に案内部（３６）が設けられ、該案内部（３６）の後端に尖鋭部が形成され、該第２固定ボルト（６１）のネジ部（６４）の前端に案内部（６６）が設けられ、該案内部（６６）の後端に尖鋭部が形成されたことを特徴とする、導線の連接装置。
【請求項９】
　請求項７記載の導線の連接装置において、第２ケース（５１）の凹溝（５３）の内壁の内側部分にテーパ面（５３１）が形成されて二段式内壁面が形成されたことを特徴とする、導線の連接装置。
【請求項１０】
　請求項７記載の導線の連接装置において、凹部（２１１）と凸耳（５１１）が相互に組み合わせられるＶ形溝形態とされ、且つＶ形の尖端部分が平直部或いは円角部とされたことを特徴とする、導線の連接装置。
【請求項１１】
　請求項７記載の導線の連接装置において、雄型コネクタ（２０）と第１導線（１０）の間にあって、収容空間（２６）内に一層の防水体（１５）が設けられ、雌型コネクタ（５０）と第２導線（４０）の間にあって、収容空間（５６）内に一層の防水体（４５）が設けられたことを特徴とする、導線の連接装置。
【請求項１２】
　請求項１１記載の導線の連接装置において、各防水体（１５）（４５）が防水ゴム、ＥＶＡスポンジ等のプラスチック材料、シリコーンゴムで形成されたことを特徴とする、導線の連接装置。
【請求項１３】
　請求項７記載の導線の連接装置において、凸耳（５１５）の前端に、平直部（５１７）或いは円角部が設けられ、凹部（２１３）と凸耳（５１５）の係合後に、平直部（５１７）と凹部（２１３）間に隙間が保留されることを特徴とする、導線の連接装置。
【請求項１４】
　請求項７記載の導線の連接装置において、第２ケース（５１）の上面と底面に形状が凸耳（５１５）に対応し組み合わされ得る浅い溝（５１８）が設けられ、且つ凹部（２１３）と凸耳（５１５）が係合後、この浅い溝（５１８）が凹部（２１３）と楕円形の構造を形成することを特徴とする、導線の連接装置。
【発明の詳細な説明】
【技術分野】
【０００１】
　本発明は導線の連接装置に係り、特に二つの導線間の連接装置に関するものである。
【背景技術】
【０００２】
　周知の導線連接装置には、例えば図１０から図１２に示されるものがあり、多くの部品で組成され、雄型コネクタ１、雌型コネクタ２、雄型コネクタ端子対３、雌型コネクタ端子対４、第１導線の被覆樹脂体５、第２導線の被覆樹脂体６、第１固定座７、第２固定座８、及び連接カバー９等を少なくとも具えている。
【０００３】
　しかし、周知の導線連接装置の実用上の最大の欠点は、雄型コネクタ１の後部内の凸設部１ｂと第１導線の被覆樹脂５の間に水が進入する問題があり、且つ毛細現象により、雄型コネクタ端子対３に短絡或いは錆の発生の恐れがあることである。同様に、雌型コネクタ２と第２導線の被覆樹脂６の間にも同様の欠点がある。
【０００４】
　該雄型コネクタ１の後部内の凸設部１ｂと第１導線の被覆樹脂５の間の固定力は垂直方向に作用し、即ちこの凸設部１ｂが第１導線の被覆樹脂５の外側に対して加える咬合力のみに依存するため、その固定効果は有限である。このため実際の使用上、導線の引張り強さが不足してしまう。同様に、雌型コネクタ２と第２導線の被覆樹脂６間の固定力もまた不足する。
【０００５】
　さらに、周知の導線連接装置は、雄型コネクタ１、雌型コネクタ２、雄型コネクタ端子対３、雌型コネクタ端子対４、第１導線の被覆樹脂５、第２導線の被覆樹脂６、第１固定座７、第２固定座８、及び連接カバー９で組成され、構成部品が多過ぎ、製造コストが高くなり、且つ組立上、手間と時間がかかる。
【０００６】
　さらに、第１固定座７、第２固定座８及び連接カバー９はいずれも螺合部品とされ、雄型コネクタ１及び雌型コネクタ２よりゆるんで離脱する恐れがあり、雄型コネクタ１と雌型コネクタ２の結合性が不確実となり、且つ第１固定座７或いは第２固定座８、或いは連接カバー９が弛むと、構造上多くの隙間が形成され、水が進入する問題が更に厳重となり、且つ大幅に導線の引張り強さを低下させる。
【発明の開示】
【発明が解決しようとする課題】
【０００７】
　以上から、本発明は全体構造を簡易化し、且つ大幅にその品質及び実用性を高めた導線の連接装置を提供するものである。
【０００８】
　本発明の主要な目的は、一種の導線の連接装置を提供することにあり、それは以下の長所、特徴、及び目的を具えたものとする。
　第１に、本発明の装置は少なくとも一つの防水措置を具え、これにより防水性が従来のものより確実である。
　第２に、本発明の装置は引っ張る外力に対する引張り強さを、これにより、導線の引張り強さが従来のものより強い。
　第３に、本発明の装置は、端子対の導入及び固定が容易である特性を有する。
　第４に、本発明の装置は安全基準を満たし、雄型コネクタと雌型コネクタが係止後に、ゆるんで脱落しにくく安全であり、特に、第２実施例及び第３実施例では、工具を挿入しなければ係止状態を解除できず、従来のものより安全性を具えている。
　第５に、本発明の装置は、構成部品が簡易化され、部品が周知のものより少なく、構造が簡単で組立が容易であり、且つ製造コストを下げることができる。
　第６に、本発明の装置は速やかに位置決め結合でき、使用時に、組立の動作が極めて簡単、迅速であり、結合性が従来の技術よりも良好である。
　第７に、本発明の装置は雄型コネクタと第１導線間、雌型コネクタと第２導線間に、それぞれ防水層が設けられて、第３の防水措置が形成され、これにより雄型コネクタと第１導線間、雌型コネクタと第２導線間の防水性が増されている。
【課題を解決するための手段】
【０００９】
　請求項１の発明は、導線の連接装置において、該導線の連接装置は、第１導線（１０）、雄型コネクタ（２０）、雄型コネクタ端子セット（３０）、第２導線（４０）、雌型コネクタ（５０）、雌型コネクタ端子セット（６０）を具え、
　該第１導線（１０）は、一対の平行で交叉しない主線（１１、１２）を具え、該主線（１１、１２）が外層固定体（１３）で被覆されて導線が組成され、
　該雄型コネクタ（２０）は、第１ケース（２１）と第１シールリング（２２）で組成され、第１ケース（２１）の後端に階段部（２４）が設けられ、且つ内部が収容空間（２６）とされ、第１ケース（２１）の前端に凸柱（２３）があり、且つ凸柱（２３）に環状溝（２５）が設けられて第１シールリング（２２）が嵌め止めされ、凸柱（２３）内部に二つの凹孔（２７）と通し孔（２７０）があり、二つの凹孔（２７）間にリブ（２８）が形成され、
　該雄型コネクタ端子セット（３０）は、雄型コネクタ端子（３１）と第１固定ボルト（３２）で組成された端子対であり、並びに第１ケース（２１）の二つの凹孔（２７）内に挿入され、雄型コネクタ端子（３１）は第１導線（１０）の外層固定体（１３）に螺合され並びに主線（１１、１２）に連接され、第１導線（１０）が第１ケース（２１）の収容空間（２６）内に固定される時、雄型コネクタ端子（３１）が凹孔（２７）内に固定され、
　該第２導線（４０）は、一対の平行で交叉しない主線（４１、４２）を具え、該主線（４１、４２）が外層固定体（４３）で被覆されて導線が形成され、
　該雌型コネクタ（５０）は、第２ケース（５１）と第２シールリング（５２）で組成され、第２ケース（５１）の後端に階段部（５４）が設けられ、且つ内部が収容空間（５６）とされ、第２ケース（５１）の前端内部に凹溝（５３）が形成され、該凹溝（５３）の軸方向壁面（５７）に一対の通し孔（５７０）があり、且つ凹溝（５３）と軸方向壁面（５７）の連接部分に環状溝（５５）が設けられて第２シールリング（５２）が嵌め止めされ、
　該雌型コネクタ端子セット（６０）は、第２固定ボルト（６１）で組成された端子対であり、第２固定ボルト（６１）が第２ケース（５１）内の通し孔（５７０）を通り第２導線（４０）の外層固定体（４３）に螺合されて主線（４１、４２）と連接されて、第２導線（４０）が第２ケース（５１）の収容空間（５６）内に固定され、
　雄型コネクタ（２０）と雌型コネクタ（５０）が結合される時、第１ケース（２１）の凸柱（２３）が第２ケース（５１）の凹溝（５３）内に挿入され、且つ二つの第２固定ボルト（６１）のナット部（６２）が第１ケース（２１）の二つの凹孔（２７）内に挿入され、並びに雄型コネクタ端子（３１）の弾性片（３５）に挟持され、
　第２シールリング（５２）が第１ケース（２１）の凸柱（２３）の押圧下で、第１の密封構造を形成し、且つ第１シールリング（２２）が第２ケース（５１）の凹溝（５３）の壁面の押圧下で、第２の密封構造を形成することを特徴とする、導線の連接装置としている。
　請求項２の発明は、請求項１記載の導線の連接装置において、第２ケース（５１）にスナップリング（５８）が延伸設置され、スナップリング（５８）の後端に固定柱（５８０）があり、且つ第２ケース（５１）の両側面に、固定柱（５８０）の挿入係止に供される二つの固定孔（５１０）が設けられ、第１ケース（２１）のリブ（２８）に固定孔（２８０）が設けられ、雄型コネクタ（２０）と雌型コネクタ（５０）が結合される時、該固定柱（５８０）が第２ケース（５１）の二つの固定孔（５１０）及び第１ケース（２１）の固定孔（２８０）に挿入されることを特徴とする、導線の連接装置としている。
　請求項３の発明は、請求項１記載の導線の連接装置において、第１固定ボルト（３２）のネジ部（３４）の前端に案内部（３６）が設けられ、該案内部（３６）の後端に尖鋭部が形成され、第２固定ボルト（６１）のネジ部（６４）前端に案内部（６６）が設けられ、該案内部（６６）の後端に尖鋭部が形成されたことを特徴とする、導線の連接装置としている。
　請求項４の発明は、請求項１記載の導線の連接装置において、第２ケース（５１）の凹溝（５３）の内壁の内側部分にテーパ面（５３１）が形成されて二段式内壁面が形成されたことを特徴とする、導線の連接装置としている。
　請求項５の発明は、請求項１記載の導線の連接装置において、雄型コネクタ（２０）と第１導線（１０）の間にあって、収容空間（２６）内に一層の防水体（１５）が設けられ、雌型コネクタ（５０）と第２導線（４０）の間にあって、収容空間（５６）内に一層の防水体（４５）が設けられたことを特徴とする、導線の連接装置としている。
　請求項６の発明は、請求項５記載の導線の連接装置において、各防水体（１５）（４５）が防水ゴム、ＥＶＡスポンジ等のプラスチック材料、シリコーンゴムで形成されたことを特徴とする、導線の連接装置としている。
　請求項７の発明は、導線の連接装置において、該導線の連接装置は、第１導線（１０）、雄型コネクタ（２０）、雄型コネクタ端子セット（３０）、第２導線（４０）、雌型コネクタ（５０）、雌型コネクタ端子セット（６０）を具え、
　該第１導線（１０）は、一対の平行で交叉しない主線（１１、１２）を具え、該主線（１１、１２）が外層固定体（１３）で被覆されて導線が組成され、
　該雄型コネクタ（２０）は、第１ケース（２１）と第１シールリング（２２）で組成され、第１ケース（２１）の上面と底面に凹部（２１１）が設けられ、且つ凹部（２１１）にストッパ部（２１２）が凸設され、第１ケース（２１）の後端に階段部（２４）が設けられ、且つ内部が収容空間（２６）とされ、第１ケース（２１）の前端に凸柱（２３）があり、且つ凸柱（２３）に環状溝（２５）が設けられて第１シールリング（２２）が嵌め止めされ、凸柱（２３）内部に二つの凹孔（２７）と通し孔（２７０）が設けられ、
　該雄型コネクタ端子セット（３０）は、雄型コネクタ端子（３１）と第１固定ボルト（３２）で組成された端子対であり、並びに第１ケース（２１）の二つの凹孔（２７）内に挿入され、雄型コネクタ端子（３１）は第１導線（１０）の外層固定体（１３）に螺合され並びに主線（１１、１２）に連接され、第１導線（１０）が第１ケース（２１）の収容空間（２６）内に固定される時、雄型コネクタ端子（３１）が凹孔（２７）内に固定され、
　該第２導線（４０）は、一対の平行で交叉しない主線（４１、４２）を具え、該主線（４１、４２）が外層固定体（４３）で被覆されて導線が形成され、
　該雌型コネクタ（５０）は、第２ケース（５１）と第２シールリング（５２）で組成され、第２ケース（５１）上面と底面より、第１ケース（２１）の凹部（２１１）と組み合わされる凸耳（５１１）が延伸され、凸耳（５１１）に位置決め孔（５１２）が設けられ、凸耳（５１１）の前端の内側面に傾斜面（５１３）が設けられ、第２ケース（５１）の後端に階段部（５４）が設けられ、且つ内部が収容空間（５６）とされ、第２ケース（５１）の前端内部に凹溝（５３）が形成され、該凹溝（５３）の軸方向壁面（５７）に一対の通し孔（５７０）があり、且つ凹溝（５３）と軸方向壁面（５７）の連接部分に環状溝（５５）が設けられて第２シールリング（５２）が嵌め止めされ、
　該雌型コネクタ端子セット（６０）は、第２固定ボルト（６１）で組成された端子対であり、第２固定ボルト（６１）が第２ケース（５１）内の通し孔（５７０）を通り第２導線（４０）の外層固定体（４３）に螺合されて主線（４１、４２）と連接されて、第２導線（４０）が第２ケース（５１）の収容空間（５６）内に固定され、
　雄型コネクタ（２０）と雌型コネクタ（５０）が結合される時、第１ケース（２１）の凸柱（２３）が第２ケース（５１）の凹溝（５３）内に挿入され、且つ二つの第２固定ボルト（６１）のナット部（６２）が第１ケース（２１）の二つの凹孔（２７）内に挿入され、並びに雄型コネクタ端子（３１）の弾性片（３５）に挟持され、且つ第２シールリング（５２）が第１ケース（２１）の凸柱（２３）の押圧下で、第１の密封構造を形成し、且つ第１シールリング（２２）が第２ケース（５１）の凹溝（５３）の壁面の押圧下で、第２の密封構造を形成し、
　第２ケース（５１）の凸耳（５１１）が、凸耳（５１１）前端の傾斜面（５１３）により、第１ケース（２１）の凹部（２１１）に凸設されたストッパ部（２１２）を滑って通過し、位置決め孔（５１６）とストッパ部（２１２）が速やかに嵌合されて相互に係止されることを特徴とする、導線の連接装置としている。
　請求項８の発明は、請求項７記載の導線の連接装置において、第１固定ボルト（３２）のネジ部（３４）の前端に案内部（３６）が設けられ、該案内部（３６）の後端に尖鋭部が形成され、該第２固定ボルト（６１）のネジ部（６４）の前端に案内部（６６）が設けられ、該案内部（６６）の後端に尖鋭部が形成されたことを特徴とする、導線の連接装置としている。
　請求項９の発明は、請求項７記載の導線の連接装置において、第２ケース（５１）の凹溝（５３）の内壁の内側部分にテーパ面（５３１）が形成されて二段式内壁面が形成されたことを特徴とする、導線の連接装置としている。
　請求項１０の発明は、請求項７記載の導線の連接装置において、凹部（２１１）と凸耳（５１１）が相互に組み合わせられるＶ形溝形態とされ、且つＶ形の尖端部分が平直部或いは円角部とされたことを特徴とする、導線の連接装置としている。
　請求項１１の発明は、請求項７記載の導線の連接装置において、雄型コネクタ（２０）と第１導線（１０）の間にあって、収容空間（２６）内に一層の防水体（１５）が設けられ、雌型コネクタ（５０）と第２導線（４０）の間にあって、収容空間（５６）内に一層の防水体（４５）が設けられたことを特徴とする、導線の連接装置としている。
　請求項１２の発明は、請求項１１記載の導線の連接装置において、各防水体（１５）（４５）が防水ゴム、ＥＶＡスポンジ等のプラスチック材料、シリコーンゴムで形成されたことを特徴とする、導線の連接装置としている。
　請求項１３の発明は、請求項７記載の導線の連接装置において、凸耳（５１５）の前端に、平直部（５１７）或いは円角部が設けられ、凹部（２１３）と凸耳（５１５）の係合後に、平直部（５１７）と凹部（２１３）間に隙間が保留されることを特徴とする、導線の連接装置としている。
　請求項１４の発明は、請求項７記載の導線の連接装置において、第２ケース（５１）の上面と底面に形状が凸耳（５１５）に対応し組み合わされ得る浅い溝（５１８）が設けられ、且つ凹部（２１３）と凸耳（５１５）が係合後、この浅い溝（５１８）が凹部（２１３）と楕円形の構造を形成することを特徴とする、導線の連接装置としている。
【発明の効果】
【００１０】
　本発明の導線の連接装置は、第１導線、雄型コネクタ、雄型コネクタ端子セット、第２導線、雌型コネクタ、雌型コネクタ端子セットを具え、第１導線と第２導線が固定ボルトでそれぞれ雄型コネクタと雌型コネクタに固定され、且つ雌型コネクタの凹溝内にシールリングが挿入され、雄型コネクタと雌型コネクタが結合される時、凹溝内のシールリングが雄型コネクタの凸柱に圧接され、密封構造を形成する。本発明は全体構造を簡易化し、並びにその品質及び実用性を高めた導線の連接装置を提供している。
【発明を実施するための最良の形態】
【００１１】
　図１から図５に示されるように、本発明の好ましい実施例において、本発明の装置は、第１導線（１０）、雄型コネクタ（２０）、雄型コネクタ端子セット（３０）、第２導線（４０）、雌型コネクタ（５０）、雌型コネクタ端子セット（６０）で組成されている。
【００１２】
　該第１導線（１０）は、一対の平行で交叉しない主線（１１、１２）を具え、並びに押し出し成形加工により該主線（１１、１２）が外層固定体（１３）で被覆されて導線が形成されている。
【００１３】
　該雄型コネクタ（２０）は、第１ケース（２１）と第１シールリング（２２）で組成され、第１ケース（２１）の後端に階段部（２４）が設けられ、且つ内部が収容空間（２６）とされて第１導線（１０）の挿入に供され、第１ケース（２１）の前端に凸柱（２３）があり、且つ凸柱（２３）に環状溝（２５）が設けられて第１シールリング（２２）が嵌め止めされ、凸柱（２３）内部に二つの凹孔（２７）が設けられ、且つ凹孔（２７）の軸方向壁面に収容空間（２６）に貫通する通し孔（２７０）があり、二つの凹孔（２７）間に形成されたリブ（２８）に固定孔（２８０）が設けられている。
【００１４】
　該雄型コネクタ端子セット（３０）は、雄型コネクタ端子（３１）及び第１固定ボルト（３２）で組成された端子対であり、並びに第１ケース（２１）の二つの凹孔（２７）内に挿入され、雄型コネクタ端子（３１）はＵ形金属部品とされ、中央部にパンチホール（３３）があり、第１固定ボルト（３２）が通され、且つ両翼端に弾性片（３５）が設けられ、第１ケース（２１）の通し孔（２７０）を通り、第１固定ボルト（３２）がネジ部（３４）により第１導線（１０）の外層固定体（１３）に螺合され並びに主線（１１、１２）に連接され、第１導線（１０）が第１ケース（２１）の収容空間（２６）内に固定されて、引張る外力に対する引張り強さを形成し、また雄型コネクタ端子（３１）を凹孔（２７）内に固定する。
【００１５】
　該第２導線（４０）は、一対の平行で交叉しない主線（４１、４２）を具え、並びに押し出し成形加工により該主線（４１、４２）が外層固定体（４３）で被覆されて導線が形成されている。
【００１６】
　該雌型コネクタ（５０）は、第２ケース（５１）と第２シールリング（５２）で組成され、第２ケース（５１）の後端に階段部（５４）が設けられ、且つ内部が収容空間（５６）とされて第２導線（４０）の挿入に供され、第２ケース（５１）の前端内部に凹溝（５３）が形成され、該凹溝（５３）の軸方向壁面（５７）に収容空間（５６）に貫通する一対の通し孔（５７０）があり、且つ凹溝（５３）と軸方向壁面（５７）の連接部分に環状溝（５５）が設けられて第２シールリング（５２）が嵌め止めされ、第２ケース（５１）よりスナップリング（５８）が延伸され、スナップリング（５８）の後端に固定柱（５８０）があり、且つ第２ケース（５１）の両側面に、固定柱（５８０）の挿入係止に供される二つの固定孔（５１０）が設けられている。
【００１７】
　該雌型コネクタ端子セット（６０）は、第２固定ボルト（６１）で組成された端子対であり、第２固定ボルト（６１）のナット部（６２）に延伸接触部が設けられて雌型コネクタ端子とされ、且つ第２ケース（５１）内の通し孔（５７０）を通り、第２固定ボルト（６１）がネジ部（６４）により第２導線（４０）の外層固定体（４３）に螺合されて主線（４１、４２）と連接され、これにより第２導線（４０）が第２ケース（５１）の収容空間（５６）内に固定され、並びに引張る外力に対する引張り強さを形成する。
【００１８】
　これにより、雄型コネクタ（２０）と雌型コネクタ（５０）が結合される時、第１ケース（２１）の凸柱（２３）が第２ケース（５１）の凹溝（５３）内に挿入され、且つ二つの第２固定ボルト（６１）のナット部（６２）が第１ケース（２１）の二つの凹孔（２７）内に挿入され、並びに雄型コネクタ端子（３１）の弾性片（３５）に挟持され、良好な連接を形成し、また、第２シールリング（５２）が第１ケース（２１）の凸柱（２３）の押圧下で、第１の密封構造を形成し、且つ第１シールリング（２２）が第２ケース（５１）の壁面の押圧下で、第２の密封構造を形成し、これにより大幅にその実用性と品質が向上され、並びに製品の使用寿命を延長する目的を達成する。
【００１９】
　図４に示されるように、第１ケース（２１）の凸柱（２３）が第２シールリング（５２）に加える押圧力は垂直方向であり、正面方向の緊迫力とされ、このため第１の密封構造は確実な密封機能を有する。さらに、第１固定ボルト（３２）が第１導線（１０）の外層固定体（１３）にねじ込まれる時、そのネジ部（３４）の外径は必ず主線（１１、１２）の外径より大きいものとされ、ゆえに螺合後に、ネジ部（３４）が確実に外層固定体（１３）を固定し、引っ張る外力に対する同方向の引張り強さを形成し、且つネジ部（３４）の体積もまた外層固定体（１３）を外向きに拡張させ、第１ケース（２１）の収容空間（２６）の制限下で、収容空間（２６）の内壁面と緊密な組合せを形成する。同様に、第２固定ボルト（６１）と第２ケース（５１）の収容空間（５６）もまた緊密な組合せを形成する。
【００２０】
　図５に示されるように、雄型コネクタ（２０）と雌型コネクタ（５０）が結合される時、雌型コネクタ（５０）の固定柱（５８０）は、第２ケース（５１）の二つの固定孔（５１０）及び第１ケース（２１）の固定孔（２８０）中に挿入され、雄型コネクタ（２０）と雌型コネクタ（５０）を固定し、並びに二つの密封構造の緊迫力を確保する。
【００２１】
　ここで以下のことを説明しておくべきである。
　（１）雄型コネクタ端子（３１）には更に、中央部の両側端に、別に一対の弾性片（３７）が設けられて得て、これにより第２固定ボルト（６１）のナット部（６２）が二対の弾性片（３５、３７）による挟持を受け、雄型コネクタ端子（３１）と良好な連接関係を形成する。
　（２）第１固定ボルト（３２）には更に、ネジ部（３４）の前端に案内部（３６）が設けられ得て、これにより第１固定ボルト（３２）が第１導線（１０）の外層固定体（１３）内に容易にねじ込まれ、且つ外層固定体（１３）の被覆作用により、案内部（３６）が主線（１１、１２）を極度に押圧して連接関係を確保する。同様に、第２固定ボルト（６１）にもネジ部（６４）の前端に案内部（６６）が設けられ得る。
　（３）該第１固定ボルト（３２）の案内部（３６）には更に後端に尖鋭部が形成され得て、これにより第１固定ボルト（３２）が第１導線（１０）の外層固定体（１３）内に更に容易にねじこまれる。特に、第１導線（１０）が押し出し成形加工された後、外層固定体（１３）の被覆により、主線（１１、１２）は必ずしも端面部分より露出しておらず、このとき、この尖鋭部分の突き刺しにより、第１固定ボルト（３２）を正確な位置に差し込むことができ、実施が容易となる。同様に、第２固定ボルト（６１）の案内部（６６）にも後端に尖鋭部を形成しうる。
【００２２】
　以上は本発明の発明を実施するための最良の形態の説明であって、これに基づきなしうる細部の修飾或いは改変は、いずれも本発明の請求範囲に属するものとする。
【００２３】
　ここで説明すべきことは、第２ケース（５１）の凹溝（５３）は、その内壁面が平面構造或いはテーパ面構造とされ得て、且つその内壁面が平面構造とされる時、更に、比較的内側に位置する部分がテーパ面（５３１）とされて二段内壁面とされうる。即ち、ただ第１シールリング（２２）が凹溝（５３）内壁面の押圧を受けるだけで、良好な緊迫関係が形成され、即ちこれが第２の密封構造の実行可能な方式とされることである。
【００２４】
　ここで説明すべきことは、該雄型コネクタ（２０）と第１導線（１０）間において、収容空間（２６）内に一層の防水体（１５）を設置可能であり（防水体（１５）の材料は防水ゴム、プラスチック例えばＥＶＡスポンジ或いはシリコーンゴムとされうる）、第１固定ボルト（３２）が第１導線（１０）の外層固定体（１３）に螺合される時、第１導線（１０）が防水体（１５）上を緊迫し、防水体（１５）が並びに収容空間（２６）の内壁面と緊密な組合せを形成し、これにより雄型コネクタ（２０）と第１導線（１０）間の防水性を増すことができることである。また同様に、雌型コネクタ（５０）と第２導線（４０）間も、収容空間（５６）内に一層の防水体（４５）を設置可能であり、これにより雌型コネクタ（５０）と第２導線（４０）間の防水性を増すことができる。これは本発明の好ましい実施例により推奨され、本発明の精神より延伸された応用であり、ゆえに本発明の請求範囲内に含まれる。
【実施例１】
【００２５】
　図６から図８は本発明の第１実施例を示し、この装置の構成は上述の発明を実施するための最良の形態に記載のものとほぼ同じであるが、異なるところは、雄型コネクタ（２０）と雌型コネクタ（５０）が結合される時の固定方式にある。
【００２６】
　そのうち、第１ケース（２１）は、発明を実施するための最良の形態中の固定孔（２８０）が省略され、上面と底面に凹部（２１１）が設けられ、且つ凹部（２１１）にストッパ部（２１２）が凸設されている。
【００２７】
　第２ケース（５１）は、発明を実施するための最良の形態中の固定孔（５１０）、スナップリング（５８）、及び固定柱（５８０）が省略され、上面と底面より、第１ケース（２１）の凹部（２１１）と組み合わされる凸耳（５１１）が延伸され、凸耳（５１１）に位置決め孔（５１２）が設けられ、凸耳（５１１）の前端の内側面に傾斜面（５１３）が設けられている。
【００２８】
　これにより、雄型コネクタ（２０）と雌型コネクタ（５０）が結合される時、第１ケース（２１）の凸柱（２３）が第２ケース（５１）の凹溝（５３）内に挿入され、且つ第２ケース（５１）の凸耳（５１１）が第１ケース（２１）の凹部（２１１）中に嵌合され、凸耳（５１１）の前端が傾斜面（５１３）の作用により、凹部（２１１）に凸設されたストッパ部（２１２）をスライドして通過し、位置決め孔（５１２）とストッパ部（２１２）が相互に係合され、構造が簡単で製造が容易とされ、並びに快速に位置決め結合できる目的を達成している。
【００２９】
　ここで説明すべきことは以下のとおりである。図７に示されるように、該凹部（２１１）と凸耳（５１１）は相互に組み合せ可能なＶ形溝構造とされ、且つＶ形の尖端部分が、平直部或いは円角部で修飾されたものとされる。
【実施例２】
【００３０】
　図９から図１０は本発明の第２実施例を示し、この装置の構成は、上述の第１実施例と同じであるが、異なるところは、雄型コネクタ（２０）と雌型コネクタ（５０）が結合される時の固定方式にある。
【００３１】
　そのうち、第１ケース（２１）は、上面及び底面に凹部（２１３）が設けられ、且つ凹部（２１３）に位置決め柱（２１４）が凸設され、位置決め柱（２１４）に傾斜面（２１５）が設けられている。
【００３２】
　第２ケース（５１）は、上面と底面より、第１ケース（２１）の凹部（２１３）と組み合わされる凸耳（５１５）が延伸され、且つ凸耳（５１５）に位置決め孔（５１６）が設けられている。
【００３３】
　これにより、雄型コネクタ（２０）と雌型コネクタ（５０）が結合される時、第１ケース（２１）の凸柱（２３）が第２ケース（５１）の凹溝（５３）内に挿入され、且つ第２ケース（５１）の凸耳（５１５）が第１ケース（２１）の凹部（２１３）中に嵌合し、凸耳（５１５）の前端が位置決め柱（２１４）の傾斜面（２１５）を滑って通過し、位置決め孔（５１６）と位置決め柱（２１４）が相互に係合され、快速な位置決め結合の目的を達成している。
【００３４】
　ここで説明すべきことは以下のとおりである。図９に示されるように、該凸耳（５１５）の前端に、平直部（５１７）（或いは円角部）が設けられ、これにより凹部（２１３）と凸耳（５１５）が係合後に、平直部（５１７）と凹部（２１３）の間に適当な隙間が保留されて凹部（２１３）と凸耳（５１５）の係合を解除する際の工具の挿入に供される。
【００３５】
　また、図９に示されるように、第２ケース（５１）には上面及び底面に、形状が凸耳（５１５）と組み合わされる浅い溝（５１８）が設けられ、且つ凹部（２１３）と凸耳（５１５）の係合後に、この浅い溝（５１８）が凹部（２１３）と楕円形の構造を形成し、これにより製品の外観と質感を増す。
【００３６】
　また、第１導線（１０）と第２導線（４０）の横断面が円形或いは楕円形とされる時、雄型コネクタ（２０）と雌型コネクタ（５０）の横断面も、対応する円形或いは楕円形とされうる。且つ第１、第２実施例の横断面もまた円形或いは楕円形とされている。これらはいずれも本発明の実行可能な方式である。
【００３７】
　以上の実施例の内容と図面は本発明を具体的に説明するために提示されたものであり、本発明の請求範囲を限定するものではなく、本発明の精神に基づきなしうる各種の変化と修飾は、いずれも本発明の請求範囲に属するものとする。
【図面の簡単な説明】
【００３８】
【図１】本発明の装置の好ましい実施例の斜視図である。
【図２】本発明の装置の好ましい実施例の分解斜視図である。
【図３】本発明の装置の好ましい実施例の分解斜視図である。
【図４】本発明の装置の好ましい実施例のＡ−Ａ断面図である。
【図５】本発明の装置の好ましい実施例のＢ−Ｂ断面図である。
【図６】本発明の装置の第１実施例の斜視図である。
【図７】本発明の装置の第１実施例の分解斜視図である。
【図８】本発明の装置の第１実施例のＣ−Ｃ断面図である。
【図９】本発明の装置の第２実施例の斜視図である。
【図１０】本発明の装置の第２実施例の分解斜視図である。
【図１１】従来の装置の連接前の断面図である。
【図１２】従来の装置の連接後の断面図である。
【図１３】従来の装置の螺合後の断面図である。
【符号の説明】
【００３９】
１０　第１導線
１１、１２　主線
１３　外層固定体
１５　防水体
２０　雄型コネクタ
２１　第１ケース
２１１　凹部
２１２　ストッパ部
２１３　凹部
２１４　位置決め柱
２１５　傾斜面
２２　第１シールリング
２３　凸柱
２４　階段部
２５　環状溝
２６　収容空間
２７　凹孔
２７０　通し孔
２８　リブ
２８０　固定孔
３０　雄型コネクタ端子セット
３１　雄型コネクタ端子
３２　第１固定ボルト
３３　パンチホール
３４　ネジ部
３５　弾性片
３６　案内部
３７　弾性片
４０　第２導線
４１、４２　主線
４３　外層固定体
４５　防水体
５０　雌型コネクタ
５１　第２ケース
５１０　固定孔
５１１　凸耳
５１２　位置決め孔
５１３　傾斜面
５１５　凸耳
５１６　位置決め孔
５１７　平直部
５１８　浅い溝
５２　第２シールリング
５３　凹溝
５３１　テーパ面
５４　階段部
５６　収容空間
５７　軸方向壁面
５７０　通し孔
５５　環状溝
５８　スナップリング
５８０　固定柱
６０　雌型コネクタ端子セット
６１　第２固定ボルト
６２　ナット部
６４　ネジ部
６６　案内部
【図１】
2004039637.tif 000003
【図２】
2004039637.tif 000004
【図３】
2004039637.tif 000005
【図４】
2004039637.tif 000006
【図５】
2004039637.tif 000007
【図６】
2004039637.tif 000008
【図７】
2004039637.tif 000009
【図８】
2004039637.tif 000010
【図９】
2004039637.tif 000011
【図１０】
2004039637.tif 000012
【図１１】
2004039637.tif 000013
【図１２】
2004039637.tif 000014
【図１３】
2004039637.tif 000015